(57)【要約】  バッテリが上がることを防止しつつ、バッテリに適切に充電を行うことができる充電装置を提供する。充電装置２を備える充電システム１では、太陽電池３からの出力電力が所定値以上である場合に、バッテリ１２，１３への充電を制御する充電制御システム７に電力供給する。これにより、太陽電池３からの出力電力が小さい場合には、充電制御システム７が起動しないため、充電制御システム７において電力を消費することがない。その結果、バッテリが上がることを防止できる。また、太陽電池３からの出力電力が所定値以上である場合には、充電制御システム７によりバッテリに充電が行われるため、バッテリ１２，１３の充電を適切に行うことができる。
2011158346.tif 000002
【特許請求の範囲】
【請求項１】
太陽電池から出力される電力が所定値以上である場合に、バッテリへの充電を制御する充電制御システムに電力を供給し、前記太陽電池から出力される電力が所定値以上でない場合には、前記充電制御システムに電力を供給しないことを特徴とする充電装置。
【請求項２】
前記太陽電池と前記充電制御システムとの間に接続され、前記太陽電池から出力される電力を検出する電力検出部を更に備え、
前記電力検出部は、前記太陽電池から出力される電力が所定値以上となった場合に動作して前記充電制御システムを起動させるための電力を供給する充電装置。
【請求項３】
前記太陽電池と前記電力検出部との間に接続され、前記太陽電池から前記電力検出部への電力の供給を遮断する電力遮断部を更に備え、
前記電力遮断部は、前記充電制御システムへの電力の供給がなされた場合に、前記太陽電池から前記電力検出部への電力の供給を遮断する請求項２記載の充電装置。
【請求項４】
前記充電制御システムへの電源をバイパス経路を介して供給する電力源を更に備え、
前記電力遮断部において前記太陽電池から前記電力検出部への電力の供給を遮断する前に、前記バイパス経路を介して前記電力源から前記充電制御システムに電力を供給する請求項３記載の充電装置。
【請求項５】
前記充電制御システムは、前記太陽電池から出力される電力を測定し、測定された前記太陽電池からの出力が所定の判定閾値以下となった場合に、前記太陽電池から前記電力検出部への電力の供給を再開させると共に、動作を停止する請求項２〜４のいずれか一項記載の充電装置。
【請求項６】
前記電力検出部を動作せるための電力の前記所定値は、前記充電制御システムにおける判定閾値よりも大きい請求項５記載の充電装置。
【請求項７】
前記電力検出は、リレー回路である請求項２〜６のいずれか一項記載の充電装置。
【発明の詳細な説明】
【技術分野】
【０００１】
本発明は、電気自動車等に搭載される太陽電池の充電装置に関する。
【背景技術】
【０００２】
近年、地球環境保全の観点から、クリーンなエネルギー源として太陽光発電への注目が高まっている。最近では、ハイブリッドカー（ＨＶ車）や電気自動車（ＥＶ車）への太陽電池の搭載も進められている。電気自動車用の太陽電池の充電装置としては、例えば特許文献１に記載されたものが知られている。特許文献１に記載充電装置は、太陽電池とバッテリとをリレーの接点を介して充電可能にする充電器を備え、太陽電池からの出力電圧が一定値に達した場合にリレーの接点を開成してバッテリに充電を行う。
【先行技術文献】
【特許文献】
【０００３】
【特許文献１】特開平７−１５４９３０号公報
【発明の概要】
【発明が解決しようとする課題】
【０００４】
ところで、太陽電池は、天候（明暗）によって出力特性（Ｖ−Ｉ特性）が変化する。例えば、出力電圧が同じであっても、天候の違いにより電流値が異なるため、出力電力が変化することがある。そのため、太陽電池からの出力が所定電圧以上であっても、例えば天候が悪い場合には出力電力が低くなる。この場合、太陽電池の充電装置を起動するための制御により電力が消費されるため、太陽電池によってバッテリに充電することができずに、かえってエネルギーを消費する結果となることがある。【０００５】
そこで、上記問題の解決策として、太陽電池の出力状態を監視し、所定の出力電力が得られる場合にのみバッテリに充電するシステムを搭載することが考えられる。この場合、太陽電池の出力電力を監視する監視システムを起動するための電力は、バッテリに蓄電された電力を使用する。しかし、エンジンの停止中等に監視システムを起動させていると、バッテリが上がってしまうことがある。【０００６】
本発明は、上記課題を解決するためになされたものであり、バッテリが上がることを防止しつつ、バッテリに適切に充電を行うことができる充電装置を提供することを目的とする。
【課題を解決するための手段】
【０００７】
上記課題を解決するために、本発明に係る充電装置は、太陽電池から出力される電力が所定値以上である場合に、バッテリへの充電を制御する充電制御システムに電力を供給し、太陽電池から出力される電力が所定値以上でない場合には、充電制御システムに電力を供給しないことを特徴とする。【０００８】
この充電装置では、太陽電池からの出力電力が所定値以上である場合に、バッテリへの充電を制御する充電制御システムに電力を供給し、電力が所定値以上でない場合には、充電制御システムに電力を供給しない。これにより、太陽電池からの出力電力が小さい場合には、バッテリへの充電を制御する充電制御システムが起動しないため、充電制御システムにおいて電力を消費することがない。その結果、太陽電池からの出力が低下している状態において例えばエンジン停車中に充電制御システムにて電力を消費しないため、バッテリが上がることを防止できる。また、太陽電池からの出力電力が所定値以上である場合には、充電制御システムによりバッテリに充電が行われるため、バッテリの充電を適切に行うことができる。【０００９】
太陽電池と充電制御システムとの間に接続され、太陽電池から出力される電力を検出する電力検出部を更に備え、電力検出部は、太陽電池から出力される電力が所定値以上となった場合に動作して充電制御システムを起動させるための電力を供給することが好ましい。この場合には、太陽電池から電力検出部に所定値以上の出力電力が供給された場合に、電力検出部が動作して充電制御システムに起動のための電力が供給されるため、充電制御システムを適切に起動させることができる。【００１０】
太陽電池と電力検出部との間に接続され、太陽電池から電力検出部への電力の供給を遮断する電力遮断部を更に備え、電力遮断部は、充電制御システムへの電力の供給がなされた場合に、太陽電池から電力検出部への電力の供給を遮断することが好ましい。この場合には、充電制御システムが起動した後に電力検出部における電力の消費を抑制できる。したがって、太陽電池から出力された電力を効率的にバッテリに充電することができる。【００１１】
充電制御システムへの電源をバイパス経路を介して供給する電力源を更に備え、電力遮断部において太陽電池から電力検出部への電力の供給を遮断する前に、バイパス経路を介して電力源から充電制御システムに電力を供給することが好ましい。この場合には、電力検出部への電力の供給が遮断された場合であっても、充電制御システムに電力を供給することができる。【００１２】
充電制御システムは、太陽電池から出力される電力を測定し、測定された太陽電池からの出力が所定の判定閾値以下となった場合に、太陽電池から電力検出部への電力の供給を再開させると共に、動作を停止することが好ましい。この場合には、太陽電池からの出力が低下した場合に、充電制御システムの動作が停止するため、バッテリが上がることを確実に防止できる。また、電力検出部への太陽電池からの電力の供給を再開させることで、太陽電池からの出力電力が再度所定値以上となった場合に、充電制御システムを動作させることができる。【００１３】
電力検出部を動作せるための電力の所定値は、充電制御システムにおける判定閾値よりも大きいことが好ましい。電力検出部を動作せるための電力の所定値を判定閾値よりも小さく設定した場合には、太陽電池の出力電力次第では充電制御システムの制御が終了して非起動となると同時に電力検出部がオンとなり、起動・非起動を繰り返すおそれがある。そこで、電力検出部を動作せるための電力の所定値は、充電制御システムにおける判定閾値よりも大きくすることで、充電制御システムのオンとオフを適切に制御できる。【００１４】
電力検出は、リレー回路にて構成することができる。
【発明の効果】
【００１５】
本発明によれば、バッテリが上がることを防止しつつ、バッテリに適切に充電を行うことができる。
【図面の簡単な説明】
【００１６】
【図１】図１は、本発明の第１実施形態に係る充電装置を含む充電システムの構成を示す図である。
【図２】図２は、充電システムの動作を示すフローチャートである。
【図３】図３は、電力検出部の動作点を説明するための図である。
【図４】図４は、第２実施形態に係る充電装置を含む充電システムの構成を示す図である。
【図５】図５は、第３実施形態に係る充電装置を含む充電システムの構成を示す図である。
【図６】図６は、充電制御システムの動作を示すフローチャートである。
【図７】図７は、第４実施形態に係る充電装置を含む充電システムの構成を示す図である。
【図８】図８は、第５実施形態に係る充電装置を含む充電システムの構成を示す図である。
【図９】図９は、第６実施形態に係る充電装置を含む充電システムの構成を示す図である。
【発明を実施するための形態】
【００１７】
以下、本発明の好適な実施形態について添付図面を参照しながら説明する。なお、以下の説明において、同一要素又は同一機能を有する要素には、同一符号を用いることとし、重複する説明は省略する。なお、各図において、構成要素間を接続する点線は、通信機能のための配線を示している。
【００１８】
［第１実施形態］
図１は、第１実施形態に係る充電装置を含む充電システムの構成を示す図である。図１に示すように、充電システム１は、例えば車両（ハイブリッド自動車、電気自動車等）に搭載され、太陽電池３からの出力をバッテリ（電力源）１２及びハイブリッド用のＨＶバッテリ１３に充電するためのシステムである。
【００１９】
充電システム１は、太陽電池３と、充電装置２とを備えている。充電装置２は、電力検出部４と、電力遮断部５と、電源供給部６と、充電制御システム７とを含んで構成されている。また、充電制御システム７は、第１ＤＣ−ＤＣコンバータ８と、第２ＤＣ−ＤＣコンバータ９と、制御ＥＣＵ１０と、監視ＥＣＵ１１とを備えている。
【００２０】
太陽電池３は、例えばシリコン製の太陽電池セルが複数直列に接続されて構成されており、例えば面積が０．６ｍ２、定格出力が１００Ｗ、４２Ｖとなっている。太陽電池３は、後述する電力遮断部５、第１ＤＣ−ＤＣコンバータ８及び第２ＤＣ−ＤＣコンバータ９に接続されており、これら各部に太陽光により発電した電力を出力する。なお、太陽電池３の出力電圧は、漏電時の感電のリスクを抑制しつつ、変換ロスを減少させるといった観点から４２Ｖに設定することが好ましい。
【００２１】
電力検出部４は、太陽電池３から出力された電力を検出する部分である。電力検出部４は、リレー回路によって構成されている。具体的には、電力検出部４は、通電していない状態において接点が開放（ノーマリーオフ・オープン）されているリレー回路である。電力検出部４は、太陽電池３から所定値以上の電力（電流）が供給された際に接点が閉じ、通電する構成を有している。電力検出部４において、リレー回路を構成するコイルＬの一端は、抵抗Ｒを介して接地されている。抵抗Ｒは、例えば１０Ω〜３０Ω程度のものを用いることができる。なお、リレー回路は、公知のものであり詳細な説明は省略するが、例えば電磁継電器（Electromagnetic Relay）、ソリッドステートリレー(Solid-State Relay)等がある。本実施形態では、コイルＬや接点ターンスプリング等により構成される電磁継電器を一例として挙げている。
【００２２】
電力遮断部５は、太陽電池３と電力検出部４との間に接続されており、太陽電池３から電力検出部４に供給される電力を遮断する部分である。電力遮断部５は、通電していない状態において接点が接続（ノーマリーオン・クローズ）されているリレー回路である。電力遮断部５は、通常状態（接点が接続されている状態）においては、太陽電池３からの出力電力を電力検出部４に出力する。また、電力遮断部５の駆動入力は、電源供給部６に接続されており、電源供給部６から電力が出力された際に接点を開放する。これにより、電力遮断部５は、太陽電池３から電力検出部４への電力の供給を遮断する。
【００２３】
電源供給部（バイパス経路）６は、制御ＥＣＵ１０の起動後において、制御ＥＣＵ１０に制御電源を供給するバイパス部分である。電源供給部６は、信号が入力されていない状態において接点が開放されているリレー回路である。電源供給部６は、制御ＥＣＵ１０と接続されており、制御ＥＣＵ１０が起動した後に出力される電源供給信号を入力すると、接点が接続する。これにより、電源供給部６から電力遮断部５に電力が出力されると共に、制御ＥＣＵ１０、第１及び第２ＤＣ−ＤＣコンバータ８，９に制御電源が供給される。電源供給部６の下流側には、電流の逆流を防止するためのダイオードＤ３が接続されている。
【００２４】
第１ＤＣ−ＤＣコンバータ８は、太陽電池３の出力電圧を入力し、接続されるバッテリ（鉛電池）１２の電圧に昇圧又は降圧する部分である。具体的には、第１ＤＣ−ＤＣコンバータ８は、太陽電池３の出力電圧を４２Ｖから１４Ｖに降圧し、充電電流をバッテリ１２に供給する。第１ＤＣ−ＤＣコンバータ８とバッテリ１２との間には、電流の逆流を防止するためのダイオードＤ１が接続されている。
【００２５】
第２ＤＣ−ＤＣコンバータ９は、太陽電池３の出力電圧を入力し、接続されるＨＶバッテリ１３の電圧に昇圧又は降圧する部分である。具体的には、第２ＤＣ−ＤＣコンバータ９は、太陽電池３の出力電圧を４２Ｖから２００Ｖに昇圧し、充電電流をＨＶバッテリ１３に供給する。第２ＤＣ−ＤＣコンバータ９とＨＶバッテリ１３との間には、電流の逆流を防止するためのダイオードＤ２が接続されている。なお、第２ＤＣ−ＤＣコンバータ９からの充電電流は、図示しないハイブリッドシステムにも供給される。
【００２６】
制御ＥＣＵ１０は、第１ＤＣ−ＤＣコンバータ８及び第２ＤＣ−ＤＣコンバータ９の制御を行う部分である。具体的には、制御ＥＣＵ１０は、第１ＤＣ−ＤＣコンバータ８及び第２ＤＣ−ＤＣコンバータ９の電圧変換比等の制御を行う。また、制御ＥＣＵ１０は、ＭＰＰＴ（Maximum Power Point Tracker：最大電力動作点追従）制御を行う。最大電力動作点は、電圧と電流との積が最大となる点であり、日照量や温度によって変化する。ＭＰＰＴ制御は、常に最大電力動作点で太陽電池３を稼動させるために、日照量や温度の変化に応じて太陽光発電に最適な出力電圧に制御するものである。ＭＰＰＴ制御の方法としては、例えば山登り法と呼ばれる方法を用いることができる。
【００２７】
上述の構成を有する制御ＥＣＵ１０は、太陽電池３から供給される電力が所定値以上となった場合に起動する。具体的には、制御ＥＣＵ１０は、電力検出部４において太陽電池３からの出力電力が所定値以上の電力となり接点が接続された場合に、制御電源が供給されることで起動する。また、制御ＥＣＵ１０は、起動後に太陽電池３の出力電力を入力し、この出力電力が所定値以下であるか否かを判定する。制御ＥＣＵ１０は、太陽電池３の出力電力が所定値以下であると判定した場合には、電力検出部４の動作を再開、つまり電力遮断部５の接点を接続させる。また、制御ＥＣＵ１０は、第１及び第２ＤＣ−ＤＣコンバータ８，９を制御してバッテリ１２への充電を終了させると共に、電源供給部６をオフにして充電制御システム７全体の起動を終了させる。なお、制御ＥＣＵ１０には、図示しないハイブリッドコンピュータからも制御電源が供給される。
【００２８】
監視ＥＣＵ１１は、ＨＶバッテリ１３を監視する部分である。監視ＥＣＵ１１は、ＨＶバッテリ１３の過充電を防止して保護するための制御を行う。監視ＥＣＵ１１には、第２ＤＣ−ＤＣコンバータ９とＨＶバッテリ１３との間の電流を計測する電流センサが設けられている。監視ＥＣＵ１１は、ＨＶバッテリ１３の充電状態を推定し、ＨＶバッテリ１３がフル充電の状態である場合には、第２ＤＣ−ＤＣコンバータ９からＨＶバッテリ１３への充電を許可することを示す充電許可信号を制御ＥＣＵ１０に出力しない（充電許可信号＝ＯＦＦ）。これにより、ＨＶバッテリ１３における過充電が防止される。一方、監視ＥＣＵ１１は、ＨＶバッテリ１３がフル充電の状態にない場合には、第２ＤＣ−ＤＣコンバータ９からＨＶバッテリ１３への充電を許可する充電許可信号を制御ＥＣＵ１０に出力する（充電許可信号＝ＯＮ）。
【００２９】
制御ＥＣＵ１０では、監視ＥＣＵ１１から出力された充電許可信号を受け取ると、第２ＤＣ−ＤＣコンバータ９を制御する。これにより、第２ＤＣ−ＤＣコンバータ９において、４２Ｖから２００Ｖへの変換が行われ、太陽電池３の最大出力にてＨＶバッテリ１３へ充電電流を供給する。監視ＥＣＵ１１は、制御ＥＣＵ１０と同様に、太陽電池３から供給される電力が所定値以上になった場合に起動する。なお、監視ＥＣＵ１１には、図示しないハイブリッドコンピュータからも制御電源が供給される。
【００３０】
続いて、充電システム１の動作について、図２を参照しながら説明する。図２は、充電システムの動作を示すフローチャートである。
【００３１】
図２に示すように、まず太陽電池３から供給された電力が電力遮断部５を介して電力検出部４に供給される（ステップＳ０１）。そして、電力検出部４において、太陽電池３からの出力が所定値以上の電力（電流）に達した場合に、接点が接続される（ステップＳ０２）。
【００３２】
ここで、電力検出部４の動作点（接点が接続される所定電力）について説明する。図３は、電力検出部の動作点を説明するための図である。図３には、太陽電池３の電圧−電流特性Ｌ１〜Ｌ３、抵抗Ｒ及び電力検出部４のコイルＬの電圧−電流特性Ｌ４、制御終了判定閾値Ｌ５が示されている。線Ｌ１は、太陽光が強く明るい状態における電圧−電流特性を示し、線Ｌ２は、太陽光が弱く薄明るい状態における電圧−電流特性を示し、線Ｌ３は、暗い状態における電圧−電流特性を示している。
【００３３】
図３に示すように、充電制御システム７が動作していない、つまり太陽光が弱く出力電力が小さいため電力検出部４の接点が開放されている状態（線Ｌ２の状態）においては、太陽電池３からの出力電流がコイルＬ及び抵抗Ｒを通っているため、太陽電池３から出力される電流電圧は、線Ｌ２と線Ｌ４とが交わる交点Ｃ１となる。
【００３４】
一方で、太陽光が強く出力電力が所定値以上となり充電制御システム７が動作している、つまり電源供給部６の接点が接続されている状態（線Ｌ１の状態）においては、制御ＥＣＵ１０が第１及び第２ＤＣ−ＤＣコンバータ８，９を制御して最大電力動作点を探索し、太陽電池３から電力が出力されている。この状態から次第に暗くなると、太陽電池３からの出力電力が低下し、バッテリ１２への充電が停止される。この充電を停止する際の閾値が制御判定閾値Ｌ５であり、制御判定閾値Ｌ５は、第１及び第２ＤＣ−ＤＣコンバータ８，９の変換ロスを加味した太陽電池３からの出力電力が各ＥＣＵ１０，１１等が消費する電力を下回る境界値に設定されている。
【００３５】
また、太陽電池３の電圧−電流特性は、光の強度に応じて図３に示す線Ｌ１〜Ｌ３のように変化し、最大電力動作点は、通常、線Ｌ６上に現れる。しかし、複数の太陽電池セルを直列に接続した太陽電池アレイにおいては、一部の太陽電池セルが故障した場合や部分的に影ができているような場合、あるいは太陽電池３に何らかの異常が発生して性能が低下している状態のときには、線Ｌ７に示すような電圧−電流特性となることがある。この場合、最大電力動作点が線Ｌ６の位置から大きく外れることになる。そのため、制御判定閾値Ｌ５は、広範囲に亘って設定されている。
【００３６】
そして、電力検出部４がオンとなる動作点（以下、リレーオン点）Ｃ２は、線Ｌ４上において、制御判定閾値Ｌ５よりも外側となるところに設定される。具体的には、電力検出部４を構成するリレー回路には、接点が接続（リレーがオン）される閾値電流が設定されおり、リレーオン点Ｃ２は、線Ｌ４との交点となっている。ここで、リレーオン点Ｃ２を制御判定値Ｄ５よりも内側に設定した場合には、太陽電池３の出力次第では充電制御システム７の制御が終了して非起動となると同時に電力検出部４がオンとなり、起動・非起動を繰り返すおそれがある。したがって、電力検出部４において接点が接続されるリレーオン点Ｃ２は、制御終了判定閾値Ｄ５よりも外側となる位置に設定されている。なお、線Ｌ４の傾きは、抵抗Ｒの抵抗値とコイルＬの抵抗値によって設定されている。また、リレーオン点Ｃ２の値は、コイルＬの巻数、接点リターンスプリングのバネ定数等によって設定されている。
【００３７】
図２に戻って、電力検出部４において接点が接続されると、制御ＥＣＵ１０に制御電源が供給されて制御ＥＣＵ１０が起動され（ステップＳ０３）、制御ＥＣＵ１０において電源供給部６への電源供給信号が初期値（＝ＯＦＦ）に設定される（ステップＳ０４）。次に、制御ＥＣＵ１０の立ち上げ制御が実行される。（ステップＳ０５）そして、制御ＥＣＵ１０の立ち上げ制御が実行されると、制御ＥＣＵ１０から電源供給部６に電源供給信号が出力（＝ＯＮ）される（ステップＳ０６）。これにより、電源供給部６の接点が接続されてオンとなり、バッテリ１２からの電圧が制御ＥＣＵ１０に供給される。次いで、電源供給部６がオンとなると、電力遮断部５にも充電電流が供給され、接点が開放される（ステップＳ０７）。これにより、電力検出部４に電力が供給されなくなり、電力検出部４の接点が開放される（ステップＳ０８）。電力検出部４から制御ＥＣＵ１０等への電源供給は断たれるが、この時点では電源供給部６からダイオードＤ３を介して電源が供給されているので、制御ＥＣＵ１０等は立ち上がった状態を維持する。
【００３８】
制御ＥＣＵ１０が立ち上げられると、第１ＤＣ−ＤＣコンバータ８及び第２ＤＣ−ＤＣコンバータ９の制御が制御ＥＣＵ１０によって実行される（ステップＳ０９）。また、第１及び第２ＤＣ−ＤＣコンバータ８，９では、図示しない電力測定手段を備え、この電力測定手段によって太陽電池３から出力される電力（電圧、電流）が測定される（ステップＳ１０）。そして、太陽電池３の出力電力が閾値（図３に示す制御判定閾値Ｌ５）以下であるか否かが制御ＥＣＵ１０によって判定される（ステップＳ１１）。太陽電池３からの出力電力が閾値以下であると判定された場合には、電源供給部６への電源供給信号の出力が停止（＝ＯＦＦ）される（ステップＳ１２）。これにより、充電制御システム７全体の動作が停止される。一方、太陽電池３からの出力電力が閾値以下であると判定されなかった場合には、ステップＳ０９に戻って処理を繰り返す。
【００３９】
以上説明したように、充電装置２を備える充電システム１では、太陽電池３からの出力電力が所定値以上である場合に、バッテリ１２，１３への充電を制御する充電制御システム７に電力供給する。これにより、太陽電池３からの出力電力が小さい場合には、充電制御システム７が起動しないため、充電制御システム７において電力を消費することがない。その結果、バッテリ１２が上がることを防止できる。また、太陽電池３からの出力電力が所定値以上である場合には、充電制御システム７によりバッテリ１２，１３に充電が行われるため、バッテリ１２，１３の充電を適切に行うことができる。
【００４０】
また、太陽電池３と充電制御システム７との間に接続され、太陽電池３から出力される電力を検出する電力検出部４を備え、電力検出部４は、太陽電池３から出力される電力が所定値以上となった場合に動作して充電制御システム７を起動させるための電力を供給する。この場合には、太陽電池３から電力検出部４に所定値以上の出力電力が供給された場合に、電力検出部４が動作して充電制御システム７に起動のための電力が供給されるため、充電制御システム７を適切に起動させることができる。
【００４１】
また、太陽電池３と電力検出部４との間に接続され、太陽電池３から電力検出部４への電力の供給を遮断する電力遮断部５を更に備え、電力遮断部５は、充電制御システム７への電力の供給がなされた場合に、太陽電池３から電力検出部４への電力の供給を遮断する。この場合には、充電制御システム７が起動した後に電力検出部４における電力の消費を抑制できる。したがって、太陽電池３から出力された電力を効率的にバッテリ１２，１３に充電することができる。
【００４２】
また、バッテリ１２は、充電制御システム７への電源を電源供給部６を介して供給し、電力遮断部５において太陽電池３から電力検出部４への電力の供給を遮断する前に、電源供給部６を介してバッテリ１２から充電制御システム７に電力を供給する。この場合には、電力検出部４への電力の供給が遮断された場合であっても、充電制御システム７に電力を供給することができる。
【００４３】
また、充電制御システム７は、太陽電池３から出力される電力を測定し、測定された太陽電池３からの出力が所定の判定閾値（制御終了判定閾値Ｌ５）以下となった場合に、太陽電池３から電力検出部４への電力の供給を再開させると共に、動作を停止する。この場合には、太陽電池３からの出力が低下した場合に、充電制御システム７の動作が停止するため、バッテリ１２，１３が上がることを確実に防止できる。また、電力検出部４への太陽電池３からの電力の供給を再開させることで、太陽電池３からの出力電力が再度所定値以上となった場合に、充電制御システム７を動作させることができる。
【００４４】
また、電力検出部４を動作せるための電力の所定値（リレーオン点Ｃ２）は、充電制御システム７における判定閾値（制御終了判定閾値Ｄ５）よりも大きい。電力検出部４を動作せるためのリレーオン点Ｃ２を制御終了判定閾値Ｄ５よりも小さく設定した場合には、太陽電池３の出力電力次第では充電制御システム７の制御が終了して非起動となると同時に電力検出部４がオンとなり、起動・非起動を繰り返すおそれがある。そこで、電力検出部４を動作せるためのリレーオン点Ｃ２は、充電制御システム７における制御終了判定閾値Ｄ５よりも大きくすることで、充電制御システム７のオンとオフを適切に制御できる。
【００４５】
［第２実施形態］
続いて、第２実施形態について説明する。図４は、第２実施形態に係る充電装置を含む充電システムを示す図である。充電システム２０は、太陽電池３と、充電装置２１とを備えており、充電装置２１は、電源中継部２２と、充電制御システム２３とを含んで構成されている。充電システム２０におけるその他の構成は第１実施形態と同様である。
【００４６】
電源中継部２２は、電力検出部４と電源供給部６との間に接続されており、電力検出部４を介して出力される制御電源を電源供給部６に供給する部分である。電源中継部２２は、信号が入力されていない状態において接点が接続（ノーマリーオン・クローズ）されているリレー回路である。電源中継部２２には、電力検出部４において接点が接続されることにより制御電源が供給される。また、電源中継部２２は、充電制御システム２３に接続されており、充電制御システム２３に含まれる制御ＥＣＵ２４（後述）から出力された切断信号を受け取ると、接点を開放する。これにより、電源中継部２２は、電力検出部４から電源供給部６への制御電源の供給を遮断する。
【００４７】
充電制御システム２３は、上述のように、制御ＥＣＵ２４を有している。制御ＥＣＵ２４は、制御電源を入力することで起動する。また、制御ＥＣＵ２４は、太陽電池３からの出力電力を入力し、出力電力が所定の閾値以下となった場合に、電源中継部２２に接点を開放することを示す切断信号を出力する。なお、図４においては図示を省略しているが、充電制御システム２３には、第１実施形態と同様に、第１及び第２ＤＣ−ＤＣコンバータ８，９、監視ＥＣＵ１１等が含まれていると共に、ＨＶバッテリ１３が接続されている。
【００４８】
続いて、充電システム２０の動作について、図４を参照しながら説明する。図４に示すように、まず太陽電池３から供給された電力が電力遮断部５を介して電力検出部４に供給される。そして、電力検出部４において、太陽電池３からの出力が所定値以上の電力（電流）に達した場合に、接点が接続される。これにより、電力検出部４を介し充電制御システム２３へ制御電源が供給され、充電制御システム２３（制御ＥＣＵ２４）が起動する。また、電力検出部４を介して電源中継部２２に制御電源が供給される。
【００４９】
続いて、電源中継部２２に供給された制御電源は、電源供給部６に供給される。制御電源が供給された電源供給部６では、接点が接続される。そして、電源供給部６を介して制御電源が電力遮断部５に供給されると、電力遮断部５において電力検出部４への電力の供給が遮断される。これにより、電力検出部４においての電力の消費が抑制される。
【００５０】
充電制御システム２３が起動すると、充電制御システム２３に内蔵された制御ＥＣＵ２４では、太陽電池３からの出力電力を測定し、この出力電力が閾値以下（図３に示す制御判定閾値Ｌ５）であるか否かを判定する。制御ＥＣＵ２４は、太陽電池３からの出力電力が閾値以下であると判定した場合には、電源中継部２２に切断信号を出力する。これにより、電源中継部２２では接点が開放され、電源供給部６の接点が開放されるため、充電制御システム２３への制御電源の供給が停止されてバッテリ１２，１３への充電が停止されると共に、充電制御システム２３全体の動作が停止される。
【００５１】
以上説明したように、充電装置２１を備える充電システム２０においても、第１実施形態と同様に、太陽電池３からの出力電力が所定値以上である場合に、バッテリ１２，１３への充電を制御する充電制御システム２３に電力供給する。これにより、太陽電池３からの出力電力が小さい場合には、充電制御システム２３が起動しないため、充電制御システム２３において電力を消費することがない。その結果、バッテリ１２が上がることを防止できる。また、太陽電池３からの出力電力が所定値以上である場合には、充電制御システム２３によりバッテリ１２，１３に充電が行われるため、バッテリ１２，１３の充電を適切に行うことができる。
【００５２】
［第３実施形態］
続いて、第３実施形態について説明する。図５は、第３実施形態に係る充電装置を含む充電システムを示す図である。同図に示す充電システム３０は、太陽電池３と、充電装置３１とを備えており、充電装置３１は、電力検出部３２と、充電制御システム３３とを含んで構成されている。充電システム３０におけるその他の基本的な構成は、第２実施形態と同様である。
【００５３】
電力検出部３２は、太陽電池３から出力された電力を検出する部分である。電力検出部３２は、複数の抵抗Ｒ１〜Ｒ５と、アンプＡＭと、トランジスタＴｒとを含んで構成されている。抵抗Ｒ１は例えば１０Ω〜３０Ω、抵抗Ｒ２は例えば１９ＫΩ、抵抗Ｒ３は例えば６ｋΩ、抵抗Ｒ４は例えば１ＭΩ、抵抗Ｒ５は例えば１ＭΩに設定されている。電力検出部３２では、太陽電池３の出力電力を入力して抵抗Ｒ１の電圧が上昇して所定電圧（例えば、２５Ｖ）となると、アンプＡＭへの反転入力への電圧が所定電圧（例えば、６Ｖ）を超え、アンプＡＭの出力が反転する。そして、電力検出部３２では、アンプＡＭの出力が反転すると、トランジスタＴｒがＯＮとなる構成を有している。電力検出部３２は、常時バッテリ１２の電力を使用しているが、その消費電力を極めて微弱なものとすることができる。
【００５４】
充電制御システム３３は、制御ＥＣＵ３４を有している。制御ＥＣＵ３４は、太陽電池３からの出力電力が閾値（図３に示す制御判定閾値Ｌ５）以下と判定した場合に電源中継部２２に切断信号を出力する機能の他に、充電制御システム３３の立ち上げ初期において切断信号を電源中継部２２に出力しない機能を有している。なお、図５においては図示を省略しているが、充電制御システム３３には、第１実施形態と同様に、第１及び第２ＤＣ−ＤＣコンバータ８，９、制御ＥＣＵ１０、監視ＥＣＵ１１等が含まれていると共に、ＨＶバッテリ１３が接続されている。
【００５５】
ここで、図６を参照しながら、充電制御システム３３の動作について説明する。図６は、充電制御システムの動作を示すフローチャートである。
【００５６】
図６に示すように、まず電源中継部２２への切断信号の初期値がオフに設定される（ステップＳ２１）。そして、制御ＥＣＵ３４の立ち上げ制御が実行される（ステップＳ２２）。制御ＥＣＵ３４の立ち上げ制御が実行されると、制御ＥＣＵ３４において「ｔｉｍｅｒ（内部変数）」が「０」に設定される（ステップＳ２３）。「ｔｉｍｅｒ」は、充電制御システム３３の立ち上げ初期において切断信号を電源中継部２２に出力しないために使用される変数である。
【００５７】
次に、制御ＥＣＵ３４において、太陽電池３の出力電力が入力されて電力が測定される（ステップＳ２４）。また、各ＤＣ−ＤＣコンバータ８，９において太陽電池３の出力電圧が各バッテリ１２，１３の電圧に変換され（ステップＳ２５）、バッテリ１２，１３への充電が開始される。そして、「ｔｉｍｅｒ」の値に「＋１」が加算され（ステップＳ２６）、「ｔｉｍｅｒ」の値が固定値（待ち時間）である「ｔｉｍｅｒ１」よりも大きいか否か（ｔｉｍｅｒ＞ｔｉｍｅｒ１）が制御ＥＣＵ３４にて判定される（ステップＳ２７）。
【００５８】
「ｔｉｍｅｒ」の値が「ｔｉｍｅｒ１」よりも大きいと判定された場合には、ステップＳ２８に進む。一方、「ｔｉｍｅｒ」の値が「ｔｉｍｅｒ１」よりも大きいと判定されなかった場合には、切断信号の出力がオフに設定される（ステップＳ３１）。
【００５９】
ステップＳ２８では、太陽電池３からの出力電力が閾値以下であるか否かが制御ＥＣＵ３４によって判定される。太陽電池３からの出力電力が閾値以下であると判定された場合には、充電制御システム７の立ち下げ制御が実行され（ステップＳ２９）、電源中継部２２への切断信号がオンにされる（ステップＳ３０）。一方、太陽電池３からの出力電力が閾値以下であると判定されなかった場合には、ステップＳ３１の処理が実行される。
【００６０】
続いて、充電システム３０の動作について、図５を参照しながら説明する。図５に示すように、まず太陽電池３から供給された電力が電力遮断部５を介して電力検出部３２に供給される。電力検出部３２では、上述のように、太陽電池３からの出力電力が入力されて抵抗Ｒの電圧が上昇して所定電圧となると、アンプＡＭへの反転入力への電圧が所定電圧を超えてアンプＡＭの出力が反転する。そして、電力検出部３２では、アンプＡＭの出力が反転すると、トランジスタＴｒがオンとなる。
【００６１】
トランジスタＴｒがオンになると、電力検出部３２から電力検出部４に電力が供給され、電力検出部４の接点が接続される。これにより、制御電源が充電制御システム３３に供給され、充電制御システム３３が起動する。また、電力検出部４を介して電源中継部２２に制御電源が供給される。
【００６２】
続いて、電源中継部２２に供給された制御電源は、電源供給部６に供給される。制御電源が供給された電源供給部６では、接点が接続される。そして、電源供給部６を介して制御電源が電力遮断部５に供給されると、電力検出部３２への電力の供給が遮断されるため、電力検出部４への電力の供給も遮断される。
【００６３】
充電制御システム３３が起動すると、上述の制御が実行される。具体的には、充電制御システム３３に内蔵された制御ＥＣＵ３４では、太陽電池３からの出力電力を測定し、この出力電力が閾値以下であるか否かを判定する。制御ＥＣＵ３４は、太陽電池３からの出力電力が閾値以下であると判定した場合には、電源中継部２２に切断信号をオン（出力）する。これにより、電源中継部２２では接点が開放され、電源供給部６の接点が開放されるため、充電制御システム３３への制御電源の供給が停止されてバッテリ１２，１３への充電が停止されると共に、充電制御システム３３全体の動作が停止される。
【００６４】
以上説明したように、充電装置３１を備える充電システム３０においても、第１実施形態と同様に、太陽電池３からの出力電力が所定値以上である場合に、バッテリ１２，１３への充電を制御する充電制御システム３３に電力供給する。これにより、太陽電池３からの出力電力が小さい場合には、充電制御システム３３が起動しないため、充電制御システム３３において電力を消費することがない。そして、電力検出部３２の消費する電力も極めて微弱であるため、実質的な使用環境においてバッテリ１２が上がることを防止できる。また、太陽電池３からの出力電力が所定値以上である場合には、充電制御システム３３によりバッテリ１２，１３に充電が行われるため、バッテリ１２，１３の充電を適切に行うことができる。
【００６５】
［第４実施形態］
続いて、第４実施形態について説明する。図７は、第４実施形態に係る充電装置を含む充電システムを示す図である。同図に示す充電システム４０は、太陽電池３と、充電装置４１とを備えており、充電装置４１は、電力遮断部４２と、電力検出部４３と、充電制御システム４４とを含んで構成されている。
【００６６】
電力遮断部４２は、半導体によって構成さえる例えばソリッドステートリレーである。電力遮断部４２は、通電していない状態において接点が接続（ノーマリーオン・クローズ）されている。電力遮断部４２は、通常状態（接点が接続されている状態）においては、太陽電池３からの出力電力を電力検出部４３に出力する。また、電力遮断部４２は、ソーラーＥＣＵ４８に接続されており、ソーラーＥＣＵ４８から切断が出力されたときに接点を開放する。これにより、電力遮断部４２は、太陽電池３から電力検出部４３への電力の供給を遮断する。
【００６７】
電力検出部４３は、抵抗４５と、キャパシタ４６と、第１ＤＣ−ＤＣコンバータ４７と、ソーラーＥＣＵ４８とから構成されている。第１ＤＣ−ＤＣコンバータ４７は、太陽電池３からの出力電力により自立起動が可能となっている。第１ＤＣ−ＤＣコンバータ４７は、太陽電池３からの出力電力を入力することで起動する。
【００６８】
ソーラーＥＣＵ４８は、第１ＤＣ−ＤＣコンバータ４７が起動することにより起動する。ソーラーＥＣＵ４８は、電流センサ４９を備えている。電流センサ４９は、抵抗４５の下流側に接続されており、抵抗４５を介した電流を検出する。ソーラーＥＣＵ４８は、電流センサ４９によって検出された電流値を検出し、この電流値が閾値以上となった場合に、電源供給部６に電源供給信号を出力する。ソーラーＥＣＵ４８は、電源供給部６に電源供給信号を出力すると、電力遮断部４２に切断信号を出力する。
【００６９】
充電制御システム４４は、制御ＥＣＵ５０を有している。制御ＥＣＵ５０は、第２ＤＣ−ＤＣコンバータ９を制御する。制御ＥＣＵ５０は、太陽電池３からの出力電力が閾値（図３に示す制御判定閾値Ｌ５）以下と判定した場合に、ソーラーＥＣＵ４８に切断信号を出力する。なお、監視ＥＣＵ１１は、第１実施形態と同様の構成を有している。
【００７０】
続いて、充電システム４０の動作について、図６を参照しながら説明する。図６に示すように、まず太陽電池３から供給された電力が電力遮断部４２を介して電力検出部４３に供給される。そして、電力検出部４３において太陽電池３からの出力が所定値以上の電力（電流）に達したことをソーラーＥＣＵ４８の電流センサ４９によって検出した場合に、ソーラーＥＣＵ４８から電源供給部６に電源供信号が出力される。これにより、電源供給部６の接点が接続され、充電制御システム２３へ制御電源が供給されて充電制御システム４４が起動する。
【００７１】
続いて、電源供給部６から制御電源が充電制御システム４４に供給されると、ソーラーＥＣＵ４８から電力遮断部４２に切断信号が出力される。これにより、太陽電池３から電力検出部４３への電力の供給が遮断され、電力検出部４３において電力の消費が抑制される。
【００７２】
充電制御システム４４が起動すると、制御ＥＣＵ５０では、太陽電池３からの出力電力を測定し、この出力電力が閾値以下（図３に示す制御判定閾値Ｌ５）であるか否かを判定する。制御ＥＣＵ５０は、太陽電池３からの出力電力が閾値以下であると判定した場合には、ソーラーＥＣＵ４８に切断信号を出力し、この切断信号がソーラーＥＣＵ４８から電源供給部６に出力される。これにより、電源供給部６の接点が開放されるため、充電制御システム４４への制御電源の供給が停止されてバッテリ１２，１３への充電が停止されると共に、充電制御システム４４全体の動作が停止される。
【００７３】
以上説明したように、充電装置４１を備える充電システム４０においても、第１実施形態と同様に、太陽電池３からの出力電力が所定値以上である場合に、バッテリ１２，１３への充電を制御する充電制御システム４４に電力供給する。これにより、太陽電池３からの出力電力が小さい場合には、充電制御システム４４が起動しないため、充電制御システム４４において電力を消費することがない。その結果、バッテリ１２が上がることを防止できる。また、太陽電池３からの出力電力が所定値以上である場合には、充電制御システム４４によりバッテリ１２，１３に充電が行われるため、バッテリ１２，１３の充電を適切に行うことができる。
【００７４】
［第５実施形態］
続いて、第５実施形態について説明する。図７は、第５実施形態に係る充電装置を含む充電システムを示す図である。同図に示す充電システム６０は、太陽電池３と、充電装置６１を備えており、充電装置６１は、電力遮断部６２と、電力検出部６３と、充電制御システム６４とを含んで構成されている。
【００７５】
電力遮断部６２は、第１ＤＣ−ＤＣコンバータ６５と、スイッチング回路６６とから構成されている。第１ＤＣ−ＤＣコンバータ６５は、太陽電池３からの出力電力により自立起動が可能となっている。第１ＤＣ−ＤＣコンバータ６５は、太陽電池３からの出力電力を入力することで起動する。第１ＤＣ−ＤＣコンバータ６５は、太陽電池３の出力電圧を４２Ｖから２００Ｖに昇圧し、図示しない充電電流をＨＶバッテリ１３に供給する。
【００７６】
スイッチング回路６６は、太陽電池３からの出力電力の出力先を切り替える部分である。スイッチング回路６６は、後述するソーラーＥＣＵ６８から出力された切替信号を受け取ると、接続先を切り替える。具体的には、スイッチング回路６６は、切替信号を受け取ると、出力先を抵抗６９からＨＶバッテリ１３に切り替える。なお、スイッチング回路６６の初期状態は、出力先が抵抗６９となるように設定されている。
【００７７】
電力検出部６３は、第２ＤＣ−ＤＣコンバータ６７と、ソーラーＥＣＵ６８と、抵抗６９とから構成されている。第２ＤＣ−ＤＣコンバータ６７は、太陽電池３からの出力電力により自立起動が可能となっている。第２ＤＣ−ＤＣコンバータ６７は、太陽電池３からの出力電力を入力することで起動する。第２ＤＣ−ＤＣコンバータ６７は、太陽電池３の出力電圧を４２Ｖから１４Ｖに降圧し、充電電流をバッテリ１２に供給する。
【００７８】
ソーラーＥＣＵ６８は、第２ＤＣ−ＤＣコンバータ６７が起動することにより起動する。ソーラーＥＣＵ６８は、電流センサ７０を備えている。電流センサ７０は、抵抗６９の下流側に接続されており、抵抗６９を介した電流を検出する。ソーラーＥＣＵ６８は、電流センサ７０によって検出された電流値を検出し、この電流値が閾値以上となった場合に、電源供給部６に電源供給信号を出力する。ソーラーＥＣＵ６８は、電源供給部６に電源供給信号を出力すると、電力遮断部６２に切替信号を出力する。また、ソーラーＥＣＵ６８は、充電制御システム６４の制御ＥＣＵ１０から出力された切断信号を受け取ると、電源供給部６に出力する。
【００７９】
充電制御システム６４は、制御ＥＣＵ７０を有している。制御ＥＣＵ７０は、第１ＤＣ−ＤＣコンバータ６５を制御する。制御ＥＣＵ７０は、太陽電池３からの出力電力が閾値（図３に示す制御判定閾値Ｌ５）以下と判定した場合に、ソーラーＥＣＵ６８に切断信号を出力する。なお、監視ＥＣＵ１１は、第１実施形態と同様の構成を有している。
【００８０】
続いて、充電システム６０の動作について、図８を参照しながら説明する。図８に示すように、まず太陽電池３から供給された電力が電力遮断部６２を介して電力検出部６３の抵抗６９に供給される。そして、電力検出部６３において太陽電池３からの出力が所定値以上の電力（電流）に達したことをソーラーＥＣＵ６８の電流センサ７０によって検出した場合に、ソーラーＥＣＵ６８から電源供給部６に電源供給信号が出力される。これにより、電源供給部６の接点が接続され、充電制御システム６４へ制御電源が供給されて充電制御システム６４が起動する。
【００８１】
続いて、電源供給部６から制御電源が充電制御システム６４に供給されると、ソーラーＥＣＵ６８から電力遮断部６２に切替信号が出力される。これにより、スイッチング回路６６において電力の出力先が抵抗６９から図示しないＨＶバッテリ１３に切り替えられ、電力検出部６３（抵抗６９）における電力の消費が抑制される。
【００８２】
充電制御システム６４が起動すると、制御ＥＣＵ７０では、太陽電池３からの出力電力を測定し、この出力電力が閾値以下（図３に示す制御判定閾値Ｌ５）であるか否かを判定する。制御ＥＣＵ７０は、太陽電池３からの出力電力が閾値以下であると判定した場合には、ソーラーＥＣＵ６８に切断信号を出力し、この切断信号がソーラーＥＣＵ６８から電源供給部６に出力される。これにより、電源供給部６の接点が開放されるため、充電制御システム６４への制御電源の供給が停止されてバッテリ１２，１３への充電が停止されると共に、充電制御システム６４全体の動作が停止される。
【００８３】
以上説明したように、充電装置６１を備える充電システム６０においても、第１実施形態と同様に、太陽電池３からの出力電力が所定値以上である場合に、バッテリ１２，１３への充電を制御する充電制御システム６４に電力供給する。これにより、太陽電池３からの出力電力が小さい場合には、充電制御システム６４が起動しないため、充電制御システム６４において電力を消費することがない。その結果、バッテリ１２が上がることを防止できる。また、太陽電池３からの出力電力が所定値以上である場合には、充電制御システム６４によりバッテリ１２，１３に充電が行われるため、バッテリ１２，１３の充電を適切に行うことができる。
【００８４】
［第６実施形態］
続いて、第６実施形態について説明する。図９は、第６実施形態に係る充電装置を含む充電システムを示す図である。同図に示す充電システム８０は、太陽電池３と、充電装置８１とを備えており、充電装置８１は、第１ＤＣ−ＤＣコンバータ８２と、電力検出部８３と、充電制御システム８４とを含んで構成されている。
【００８５】
第１ＤＣ−ＤＣコンバータ８２は、コイル８５と、トランジスタ８６と、ダイオード８７と、キャパシタ８８とから構成されており、昇圧チョッパーである。第１ＤＣ−ＤＣコンバータ８２は、太陽電池３からの出力電力により自立起動が可能となっている。第１ＤＣ−ＤＣコンバータ８２は、太陽電池３からの出力電力を入力することで起動する。第１ＤＣ−ＤＣコンバータ８２は、太陽電池３の出力電圧を４２Ｖから２００Ｖに昇圧し、充電電流を図示しないＨＶバッテリ１３に供給する。トランジスタ８６は、後述するソーラーＥＣＵ９０から出力され切替断信号を受け取ると、オンからオフに切り替わる。
【００８６】
電力検出部８３は、第２ＤＣ−ＤＣコンバータ８９と、ソーラーＥＣＵ９０とから構成されている。第２ＤＣ−ＤＣコンバータ８９は、太陽電池３からの出力電力により自立起動が可能となっている。第２ＤＣ−ＤＣコンバータ８９は、太陽電池３からの出力電力を入力することで起動する。第２ＤＣ−ＤＣコンバータ８９は、太陽電池３の出力電圧を４２Ｖから１４Ｖに降圧し、充電電流をバッテリ１２に供給する。
【００８７】
ソーラーＥＣＵ９０は、電流センサ９１を備えている。電流センサ９１は、トランジスタ８６の下流側に接続されており、電流を検出する。ソーラーＥＣＵ９０は、電流センサ９１によって検出された電流値を取得し、この電流値が閾値以上となった場合に、電源供給部６に電源供給信号を出力する。ソーラーＥＣＵ９０は、電源供給部６に電源供給信号を出力すると、電力遮断部８２のトランジスタ８６に切替信号を出力する。また、ソーラーＥＣＵ９０は、充電制御システム８４の制御ＥＣＵ９２から出力された切断信号を受け取ると、電源供給部６に出力する。
【００８８】
充電制御システム８４は、制御ＥＣＵ９２を有している。制御ＥＣＵ９２は、第１ＤＣ−ＤＣコンバータ８２及び第２ＤＣ−ＤＣコンバータ８９を制御する。制御ＥＣＵ８４は、太陽電池３からの出力電力が閾値（図３に示す制御判定閾値Ｌ５）以下と判定した場合に、ソーラーＥＣＵ９０に切断信号を出力する。なお、監視ＥＣＵ１１は、第１実施形態と同様の構成を有している。
【００８９】
続いて、充電システム８０の動作について、図９を参照しながら説明する。図９に示すように、まず太陽電池３から供給された電力が第１ＤＣ−ＤＣコンバータ８２に供給される。そして、第１ＤＣ−ＤＣコンバータ８２において太陽電池３からの出力が所定値以上の電力（電流）に達したことをソーラーＥＣＵ９０の電流センサ９１によって検出した場合に、ソーラーＥＣＵ９０から電源供給部６に電源供信号が出力されると共に、第１ＤＣ−ＤＣコンバータ８２のトランジスタ８６に切替信号が出力される。これにより、電源供給部６の接点が接続され、充電制御システム８４へ制御電源が供給されて充電制御システム４４が起動すると共に、第１ＤＣ−ＤＣコンバータ８２から図示しないＨＶバッテリ１３に充電電流が供給される。
【００９０】
充電制御システム８４が起動すると、制御ＥＣＵ９２では、太陽電池３からの出力電力を測定し、この出力電力が閾値以下（図３に示す制御判定閾値Ｌ５）であるか否かを判定する。制御ＥＣＵ９２は、太陽電池３からの出力電力が閾値以下であると判定した場合には、ソーラーＥＣＵ９０に切断信号を出力し、この切断信号がソーラーＥＣＵ９０から電源供給部６に出力される。これにより、電源供給部６の接点が開放されるため、充電制御システム８４への制御電源の供給が停止されてバッテリ１２，１３への充電が停止されると共に、充電制御システム８４全体の動作が停止される。
【００９１】
以上説明したように、充電装置８１を備える充電システム８０においても、第１実施形態と同様に、太陽電池３からの出力電力が所定値以上である場合に、バッテリ１２，１３への充電を制御する充電制御システム８４に電力供給する。これにより、太陽電池３からの出力電力が小さい場合には、充電制御システム８４が起動しないため、充電制御システム８４において電力を消費することがない。その結果、バッテリ１２が上がることを防止できる。また、太陽電池３からの出力電力が所定値以上である場合には、充電制御システム８４によりバッテリ１２，１３に充電が行われるため、バッテリ１２，１３の充電を適切に行うことができる。
【００９２】
本発明は、上記実施形態に限定されるものではない。例えば、上記実施形態では、電力検出部４や電源供給部６にリレー回路として電磁継電器を用いているが、ソリッドステートリレー等であってもよい。
【００９３】
また、監視ＥＣＵ１１における制御は、上述の制御に限定されるものではなく、その他の制御が行われてもよい。例えば、監視ＥＣＵ１１では、ＨＶバッテリ１３の充電状態を推定し、充電電流上限値ＩＬを設定する。また、監視ＥＣＵ１１は、充電制御システム７のシステム出力電流値ＩＳを検出し、太陽電池充電電流値ＩＣ（＝ＩＬ−ＩＳ）を設定し、太陽電池充電電流値ＩＣの値を示す信号を制御ＥＣＵ１０に出力する。これにより、制御ＥＣＵ１０にて第２ＤＣ−ＤＣコンバータ９の制御が実行される。
【符号の説明】
【００９４】
１，２０，３０，４０，６０，８０…充電システム、２，２１，３２，４１，６１，８１…充電装置、３…太陽電池、４，３２，４３，６３，８３…電力検出部、５，４２，６２，電力遮断部、６…電力供給部（バイパス経路）、７，２３，３３，４４，６４，８４…充電制御システム、１２…バッテリ（電力源）、１３…ＨＶバッテリ。
【図１】
2011158346.tif 000003
【図２】
2011158346.tif 000004
【図３】
2011158346.tif 000005
【図４】
2011158346.tif 000006
【図５】
2011158346.tif 000007
【図６】
2011158346.tif 000008
【図７】
2011158346.tif 000009
【図８】
2011158346.tif 000010
【図９】
2011158346.tif 000011
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
太陽電池から出力される電力が所定値以上である場合に、バッテリへの充電を制御する充電制御システムに電力を供給し、前記太陽電池から出力される電力が所定値以上でない場合には、前記充電制御システムに電力を供給しない充電装置であって、
前記太陽電池と前記充電制御システムとの間に接続され、前記太陽電池から出力される電力を検出する電力検出部と、
前記太陽電池と前記電力検出部との間に接続され、前記太陽電池から前記電力検出部への電力の供給を遮断する電力遮断部とを備え、
前記電力検出部は、前記太陽電池から出力される電力が所定値以上となった場合に動作して前記充電制御システムを起動させるための電力を供給し、
前記電力遮断部は、前記充電制御システムへの電力の供給がなされた場合に、前記太陽電池から前記電力検出部への電力の供給を遮断することを特徴とする充電装置。
【請求項２】
（削除）
【請求項３】
（削除）
【請求項４】
前記充電制御システムへの電源をバイパス経路を介して供給する電力源を更に備え、
前記電力遮断部において前記太陽電池から前記電力検出部への電力の供給を遮断する前に、前記バイパス経路を介して前記電力源から前記充電制御システムに電力を供給する請求項１記載の充電装置。
【請求項５】
前記充電制御システムは、前記太陽電池から出力される電力を測定し、測定された前記太陽電池からの出力が所定の判定閾値以下となった場合に、前記太陽電池から前記電力検出部への電力の供給を再開させると共に、動作を停止する請求項１又は４記載の充電装置。
【請求項６】
前記電力検出部を動作せるための電力の前記所定値は、前記充電制御システムにおける判定閾値よりも大きい請求項５記載の充電装置。
【請求項７】
前記電力検出部は、リレー回路である請求項１，４〜６のいずれか一項記載の充電装置。
【国際調査報告】
2011158346.tif 000012
2011158346.tif 000013